(57)【要約】【課題】複数種類の形状の装置を保持対象とし得る光学的情報読取装置の置台を提供する。【解決手段】置台１０は、読取部のロアケースの形状が一致しアッパーケースが異なる２つ光学的情報読取装置が保持対象である。第２壁部１２には、第１読取装置１００ａの読取部１０２が係合するときそのアッパーケース１０２ｂと当該第２壁部１２との間に介在することで第１壁部１１とにより当該読取部１０２を挟持するように、アタッチメント４０が着脱可能に設けられる。また、アタッチメント４０を取り外した第２壁部１２は、第２読取装置１００ｂの保持時にそのアッパーケース１０３ｂを受けることが可能に形成されている。【選択図】図１
2011118721.tif 000002
【特許請求の範囲】
【請求項１】
端部に読取口が形成される読取部とこの読取部から延出した構成をなす把持部とを有する光学的情報読取装置であって、前記読取部の把持部側の形状が一致し反把持部側の形状が異なる複数種類の光学的情報読取装置を、当該読取部と係合することで保持する置台であって、
前記光学的情報読取装置を保持する際に前記読取口と対向するように配置され、かつその保持の際に前記読取口内を外部に露出させる開口部が設けられた底部と、
前記底部から立ち上がるように設けられ、前記光学的情報読取装置を保持する際に、前記読取部の把持部側および反把持部側をそれぞれ受ける第１壁部および第２壁部と、
を備え、
前記第２壁部には、前記読取部が係合するときこの読取部の反把持部側の形状に応じて形成されて、この反把持部側と当該第２壁部との間に介在することで前記第１壁部とにより当該読取部を挟持するように、着脱部材が着脱可能に設けられることを特徴とする光学的情報読取装置の置台。
【請求項２】
前記底部には、前記開口部の貫通方向に沿い貫通する貫通穴が形成されることを特徴とする請求項１に記載の光学的情報読取装置の置台。
【請求項３】
前記第１壁部には、当該置台を載置面から離れた位置で保持するアームの端部に組み付けるための組み付け部が形成されることを特徴とする請求項１または２に記載の光学的情報読取装置の置台。
【請求項４】
前記第１壁部には、前記読取部が係合するとき前記把持部が係合する凹部が形成されており、この凹部の頂部は、前記底部が載置される面からの高さが、前記第２壁部の高さよりも高く形成されることを特徴とする請求項１〜３のいずれか一項に記載の光学的情報読取装置の置台。
【発明の詳細な説明】
【技術分野】
【０００１】
本発明は、光学的情報読取装置の置台に関するものである。
【背景技術】
【０００２】
従来、光学的情報読取装置の置台に関する技術として、下記特許文献１に示す置台が知られている。この置台は、使用者が手に持って使用するいわゆる手持ち式の光学的情報読取装置を保持対象としており、単一の読取装置を手持使用と定置使用とに切り替えることができるように構成されている。具体的には、読取装置を保持する装置保持部が載置面から離れた高位置で保持され、その装置保持部における読取口と対向する底部において読取口内を外部に露出させる貫通孔が形成されているため、読取口を載置面側（下方側）に向かせた状態で読取装置を保持できるようになり、読取口を載置面側（下方側）に向かせた定置使用を可能としている。
【先行技術文献】
【特許文献】
【０００３】
【特許文献１】特開２００９−１６９５８５号公報
【発明の概要】
【発明が解決しようとする課題】
【０００４】
しかしながら、上記特許文献１の構成では、１種類の読取装置が保持対象であり、複数種類の形状の読取装置を保持することができないという問題があった。
【０００５】
本発明は、上述した課題を解決するためになされたものであり、その目的とするところは、複数種類の形状の装置を保持対象とし得る光学的情報読取装置の置台を提供することにある。
【課題を解決するための手段】
【０００６】
上記目的を達成するため、特許請求の範囲に記載の請求項１の光学的情報読取装置の置台では、端部に読取口が形成される読取部とこの読取部から延出した構成をなす把持部とを有する光学的情報読取装置であって、前記読取部の把持部側の形状が一致し反把持部側の形状が異なる複数種類の光学的情報読取装置を、当該読取部と係合することで保持する置台であって、前記光学的情報読取装置を保持する際に前記読取口と対向するように配置され、かつその保持の際に前記読取口内を外部に露出させる開口部が設けられた底部と、前記底部から立ち上がるように設けられ、前記光学的情報読取装置を保持する際に、前記読取部の把持部側および反把持部側をそれぞれ受ける第１壁部および第２壁部と、を備え、前記第２壁部には、前記読取部が係合するときこの読取部の反把持部側の形状に応じて形成されて、この反把持部側と当該第２壁部との間に介在することで前記第１壁部とにより当該読取部を挟持するように、着脱部材が着脱可能に設けられることを特徴とする。
【０００７】
請求項２の発明は、請求項１に記載の光学的情報読取装置の置台において、前記底部には、前記開口部の貫通方向に沿い貫通する貫通穴が形成されることを特徴とする。
【０００８】
請求項３の発明は、請求項１または２に記載の光学的情報読取装置の置台において、前記第１壁部には、当該置台を載置面から離れた位置で保持するアームの端部に組み付けるための組み付け部が形成されることを特徴とする。
【０００９】
請求項４の発明は、請求項１〜３のいずれか一項に記載の光学的情報読取装置の置台において、前記第１壁部には、前記読取部が係合するとき前記把持部が係合する凹部が形成されており、この凹部の頂部は、前記底部が載置される面からの高さが、前記第２壁部の高さよりも高く形成されることを特徴とする。
【発明の効果】
【００１０】
請求項１の発明では、読取部の把持部側の形状が一致し反把持部側の形状が異なる複数種類の光学的情報読取装置が保持対象であり、読取部の反把持部側を受ける第２壁部には、読取部が係合するときこの読取部の反把持部側の形状に応じて形成されて、この反把持部側と当該第２壁部との間に介在することで第１壁部とにより当該読取部を挟持するように、着脱部材が着脱可能に設けられる。
【００１１】
これにより、例えば読取対象が異なるために、読取部のうち反把持部側の形状が異なる複数種類の光学的情報読取装置であっても、その読取部の反把持部側の形状に応じて構成した着脱部材を第２壁部に装着して当該反把持部側との間に介在させることで、第１壁部とにより当該読取部を挟持するように保持することができる。
したがって、複数種類の形状の光学的情報読取装置を保持対象とすることができる。さらに、置台の標準化が図られるため、製造コストを低減することができる。
【００１２】
請求項２の発明では、底部には、開口部の貫通方向に沿い貫通する貫通穴が形成されるため、底部を壁面に押し付けた状態で上記貫通穴を挿通するようにねじ等の締結部材を組み付けることで、複数種類の形状の光学的情報読取装置を保持対象とする置台を壁面に固定した状態で壁掛け用として使用することができる。
【００１３】
請求項３の発明では、第１壁部には、当該置台を載置面から離れた位置で保持するアームの端部に組み付けるための組み付け部が形成されるため、この組み付け部に上記アームの端部を組み付けることで、当該置台を、載置面から離れた高位置でアームを介して読取装置を保持するいわゆるフリースタンドの一部として機能させることができる。特に、読取部の把持部側は光学的情報読取装置の重心位置に近くなりやすいため、この把持部側を受ける第１壁部にて、置台をアームにより支持することにより、複数種類の形状の光学的情報読取装置を保持対象とする置台をフリースタンドの一部として使用する場合の安定性を向上させることができる。
【００１４】
請求項４の発明では、第１壁部に形成される把持部に係合するための凹部の頂部は、底部が載置される面からの高さが、第２壁部の高さよりも高く形成される。このため、光学的情報読取装置は、読取部の把持部側と反把持部側とが第１壁部と第２壁部に装着される着脱部材とで挟持されるとき、把持部が第２壁部よりも高い頂部の凹部に係合するので、保持状態での当該読取装置の重心位置が読取部側になるだけでなく把持部が凹部により挟持されることとなる。これにより、当該読取装置をより安定的に保持することができる。
【図面の簡単な説明】
【００１５】
【図１】本実施形態に係る置台１０に第１読取装置１００ａを載置した例を示す斜視図である。
【図２】本実施形態に係る置台１０に第２読取装置１００ｂを載置した例を示す斜視図である。
【図３】保持対象の第１読取装置１００ａを説明する説明図である。
【図４】置台１０の平面図である。
【図５】置台１０の正面図である。
【図６】置台１０の背面図である。
【図７】置台１０の側面図である。
【図８】図４の８−８断面を概略的に示す断面図である。
【図９】置台１０の裏面図である。
【図１０】アタッチメント４０の構成概要を示す図であり、図１０（Ａ）は上面図、図１０（Ｂ）は正面図、図１０（Ｃ）は側面図である。
【図１１】壁掛け用置台として使用される置台１０を示す説明図である。
【図１２】フリースタンドとして使用される置台１０を示す説明図である。
【発明を実施するための形態】
【００１６】
以下、本発明の光学的情報読取装置の置台を具現化した一実施形態について、図面を参照して説明する。
図１および図２に示すように、本実施形態に係る置台１０は、２つの異なる形状の光学的情報読取装置（以下、第１読取装置１００ａ，第２読取装置１００ｂともいう）のいずれか１つを載置して保持する機能を有しており、様々な載置面上に載置して用いられるものである。
【００１７】
まず、置台１０の保持対象となる第１読取装置１００ａ（図１参照）および第２読取装置１００ｂ（図２参照）のうち、第１読取装置１００ａについて説明する。
図１に示す第１読取装置１００ａは、バーコード、ＱＲコード（商標名）等の情報コードを読み取るコードリーダ（例えば、バーコードリーダ、二次元コードリーダ等）として構成されるものであり、外郭部を構成する外装ケース内に各種電子部品が収容された構成をなしている。
【００１８】
この第１読取装置１００ａは、図３に示すように、長手方向一端部において開口部として構成される読取口１０６が形成される読取部１０２と、この読取部１０２から延出した構成をなす把持部１０４と、を備えている。読取部１０２の外装ケースは、把持部側を構成するロアケース１０２ａと反把持部側を構成するアッパーケース１０２ｂとからなり、ロアケース１０２ａの長手方向中間位置を基端として把持部１０４が延出する構成をなしている。図３に例示される第１読取装置１００ａは、いわゆるガンタイプとして構成されるものであり、より詳しくは読取部１０２が延びる方向（読取部１０２の長手方向）と、把持部１０４が延びる方向（把持部１０４の長手方向）とがほぼ直交するように構成されている。なお、本実施形態では、読取部１０２の長手方向において読取口１０６が設けられる側を前方側、それとは反対側を後方側としている。
【００１９】
把持部１０４は、使用者が手に持って握ることができる程度のサイズで構成されており、その側部には使用者による押圧操作を受ける操作ボタン（図示略）などが配置されている。また、読取部１０２には、その内部に照明光を発する光源（ＬＥＤ等）、読取対象からの反射光を受光する受光センサ（ＣＣＤセンサ等）、各種制御を行う制御回路（マイコン等）、メモリなどが収容されている。読取部１０２に形成された読取口１０６は、読取対象（バーコード等の情報コード、図３ではＱＲコードＱを例示）に対する照明光を導出し、かつ読取対象からの反射光を導入する光導出入口として構成されている。なお、コードリーダの分野において、読取口を介して照明光を照射しかつ反射光を取り込み、情報コードの読み取りを行う構成は周知であるので電気的構成等の詳細な説明は省略する。
【００２０】
また、図２に示す第２読取装置１００ｂは、第１読取装置１００ａに対して読取部１０２に代えて読取部１０３を採用した構成になっている。これは、読取対象が異なるために、読取部１０３の内部に収容される収容物が異なるからであり、この内容物として、例えば、ダイレクトマーキング等の打刻式のコードを読み取るための照明等があげられる。そのため、第２読取装置１００ｂでは、第１読取装置１００ａとの部品共通化を図ることを目的として、読取部１０３の外装ケースが、共通部品としての上述したロアケース１０２ａと専用部品としてのアッパーケース１０３ｂとから構成されている。このアッパーケース１０３ｂは、アッパーケース１０２ｂに対して収容空間を大きくするために把持部１０４から離れる方向へ広がるように形成されている。
【００２１】
次に、置台１０の具体的構成について、主に第１読取装置１００ａを保持する場合を例に説明する。
置台１０は、例えば樹脂材料などによって構成され、環状の周壁を備えた枠状形態をなすものであり、図４〜図９に示すように、載置面側に臨む底部１５と、前後に対向する第１壁部１１及び第２壁部１２と、左右に対向する一対の側壁部１３，１４とを備えている。置台１０は、底部１５を底とし、第１壁部１１、第２壁部１２、側壁部１３、１４を周壁とする略箱状形態をなしており、第１読取装置１００ａを保持する際に読取部１０２の端部（読取口１０６側の端部）を内部に収容する構成をなしている。なお、本実施形態では置台１０全体が一体成形されている。
【００２２】
底部１５は、第１読取装置１００ａを保持する際に読取口１０６と対向するように配置される部分であり、その保持の際に読取口１０６内を外部に露出させるための開口部２０が形成されている。図４に示すように、開口部２０は、周壁（即ち第１壁部１１、第２壁部１２、側壁部１３、１４）によって囲まれる領域の中心を含んだ中央領域を空間とする形態で構成されており、底部１５は、開口部２０の開口領域を取り囲むように環状に配置されている。
【００２３】
また、底部１５における読取口１０６との対向面は、開口部２０の周囲において第１壁部１１寄りに設けられる平滑面１５ｃと、平滑面１５ｃと第２壁部１２との間において平滑面１５ｃに対して傾斜するように配置された傾斜面１５ｄとを有している。この傾斜面１５ｄは、第１読取装置１００ａが置台１０に装着される際に読取口１０６の端部を第２壁部１２側に案内しうるものである。また、平滑面１５ｃと傾斜面１５ｄとの連結部分には、当該置台１０を壁掛け用として用いるときに使用される貫通穴１５ｅが２つ設けられており、両貫通穴１５ｅは、開口部２０の貫通方向に沿い貫通するように形成されている。
【００２４】
第１壁部１１は、底部１５から立ち上がるように設けられており、幅方向中央付近に凹状に凹んだ凹部１１ｃが形成されている。なお、本実施形態では、側壁部１３、１４の対向方向（図５，図６での左右方向）を置台１０の幅方向としている。図６のように第１壁部１１は、幅方向両側に配置される一対の壁部１１ａ、１１ｂと、これら壁部１１ａ、１１ｂの中間に配置される中間壁１１ｄとによって構成されており、図５〜図８に示すように、壁部１１ａ、１１ｂの高さ、すなわち凹部１１ｃの頂部の高さが、第２壁部１２の高さよりも大きくなるように構成されている。
【００２５】
第１壁部１１は、第１読取装置１００ａを保持する際に把持部１０４における把持位置（使用者によって把持される位置であり、図１等の例では把持部１０４の先端部付近から中央部付近に亘る領域）と読取口１０６との間の中間部１１０を受けるように機能するものであり、具体的には第１読取装置１００ａの装着時に読取部１０２のロアケース１０２ａを支持する構成をなしている。より詳しく言えば、壁部１１ａ、１１ｂにおける凹部１１ｃ付近の内壁面１７ａ、１７ｂが底部１５の平滑面１５ｃに対して所定の角度で傾斜しており、第１読取装置１００ａの装着時にこの一対の内壁面１７ａ、１７ｂによって読取部１０２のロアケース１０２ａを支持する構成をなしている。
【００２６】
第１壁部１１に形成された凹部１１ｃの底部は、図６等に示す例では、壁部１１ａ、１１ｂの高さの半分以上の深さとなるように凹んでいる。この凹部１１ｃは、第１読取装置１００ａを保持する際に中間部１１０における読取部１０２と把持部１０４との境界付近の部分と係合する構成をなしている。
【００２７】
また、第１壁部１１の下端部には、後述するアーム部５２の端部を組み付けるための組み付け部３０が設けられている。この組み付け部３０には、アーム部５２の端部が挿入する挿入穴３４と、挿入穴３４の底部に形成される孔部３２とが形成されており、アーム部５２の端部が挿入穴３４に挿入するとき、ねじ等の締結部材を孔部３２に挿し込み締結することで、当該置台１０がアーム部５２の端部に固定されることとなる。
【００２８】
第２壁部１２は、第１壁部１１と対向する位置において底部１５から立ち上がるように設けられている。この第２壁部１２の内壁は、第２読取装置１００ｂの保持時にそのアッパーケース１０３ｂを受けることが可能であって、かつ後述するアタッチメント４０が着脱可能に形成されている。そのため、第２壁部１２の内壁は、アッパーケース１０３ｂに応じて形成されるとともに、この内壁の底面側には、後述するアタッチメント４０の両爪部４３が係合可能な略矩形状の係合穴１２ａが設けられている。
【００２９】
側壁部１３は、底部１５から立ち上がる構成をなしており、第１壁部１１の片側の壁部１１ａと第２壁部１２とを連結するように配置されている。また、側壁部１４も、底部１５から立ち上がる構成をなし、第１壁部１１の片側の壁部１１ｂと第２壁部１２とを連結する構成をなしている。これら側壁部１３、１４は互いに対向する構成をなしており、第１読取装置１００ａを保持する際に読取部１０２のロアケース１０２ａを挟持するように配置されるものである。
【００３０】
次に、第２壁部１２の内壁に装着されるアタッチメント４０について説明する。このアタッチメント４０は、第２壁部１２の内壁に装着されることで、第１壁部１１とにより第１読取装置１００ａの読取部１０２を挟持する機能を有するもので、図１０（Ａ）〜（Ｃ）に示すように、上壁４１と、案内部４２と、２つの爪部４３とを備えている。上壁４１は、一側の外縁にて第２壁部１２の上端部中央に係合するように形成されており、この上壁４１の他側の外縁には案内部４２が略平板状に垂下するように連結されている。案内部４２は、第２壁部１２への装着時に読取部１０２のアッパーケース１０２ｂを受けることが可能となるように、アッパーケース１０２ｂの形状に応じて形成されている。また、上壁４１には、２つの爪部４３がそれぞれ離間して案内部４２に平行に垂下するように連結されており、両爪部４３は、当該アタッチメント４０の第２壁部１２への装着時に係合穴１２ａに係合するように形成されている。なお、アタッチメント４０は、特許請求の範囲に記載の「着脱部材」の一例に相当し得る。
【００３１】
このように構成される置台１０によって載置面上に第１読取装置１００ａを保持する際には、まず、アタッチメント４０を第２壁部１２に装着する。そして、把持部１０４を置台１０の外部に延出させ、かつ読取口１０６を底部１５と対向させるように読取部１０２を配置した状態で、第１壁部１１の凹部１１ｃにより中間部１１０を支持し、かつアタッチメント４０と第１壁部１１とにより読取部１０２のアッパーケース１０２ｂおよびロアケース１０２ａを挟持する。これにより、図１に示すように、第１読取装置１００ａが置台１０に保持されることとなる。
【００３２】
また、置台１０によって載置面上に第２読取装置１００ｂを保持する際には、まず、アタッチメント４０を第２壁部１２から取り外す。そして、把持部１０４を置台１０の外部に延出させ、かつ読取口１０６を底部１５と対向させるように読取部１０３を配置した状態で、第１壁部１１の凹部１１ｃにより中間部１１０を支持し、かつ第２壁部１２と第１壁部１１とにより読取部１０３のアッパーケース１０３ｂおよびロアケース１０２ａを挟持する。これにより、図２に示すように、第２読取装置１００ｂが置台１０に保持されることとなる。
【００３３】
また、置台１０を壁面Ｗに固定した壁掛け用として使用する場合には、まず、底部１５を壁面Ｗに押し付けた状態で当該底部１５の両貫通穴１５ｅを挿通するようにねじ等の締結部材を組み付けることで、当該置台１０を壁面Ｗに固定する。そして、第１読取装置１００ａが保持対象であればアタッチメント４０を第２壁部１２に装着し、置台１０に対して載置面上と同様に第１読取装置１００ａを配置することで、図１１に示すように、当該第１読取装置１００ａが壁掛け状態の置台１０に保持されることとなる。また、第２読取装置１００ｂが保持対象であればアタッチメント４０を第２壁部１２から取り外し、置台１０に対して載置面上と同様に第２読取装置１００ｂを配置することで、当該第２読取装置１００ｂが壁掛け状態の置台１０に保持されることとなる。
【００３４】
また、置台１０を載置面から離れた高位置にて金属製のフレキシブルチューブ等により構成されるアーム部５２を介することで保持対象を保持するいわゆるフリースタンド５０の一部として機能させる場合には、以下のように行う。まず、一側端部５２ａに基台５１が連結されるアーム部５２を用意し、第１壁部１１の挿入穴３４にアーム部５２の他側端部５２ｂを挿入してねじ等の締結部材を孔部３２に挿し込み締結することで、置台１０をアーム部５２の他側端部５２ｂに固定する。そして、第１読取装置１００ａが保持対象であればアタッチメント４０を第２壁部１２に装着し、置台１０に対して載置面上と同様に第１読取装置１００ａを配置することで、図１２に示すように、当該第１読取装置１００ａがフリースタンド５０としての置台１０に保持されることとなる。また、第２読取装置１００ｂが保持対象であればアタッチメント４０を第２壁部１２から取り外し、置台１０に対して載置面上と同様に第２読取装置１００ｂを配置することで、当該第２読取装置１００ｂがフリースタンド５０としての置台１０に保持されることとなる。
【００３５】
以上説明したように、本第１実施形態に係る置台１０は、読取部のロアケースの形状が一致しアッパーケースが異なる２つ光学的情報読取装置（第１読取装置１００ａ，第２読取装置１００ｂ）が保持対象である。第２壁部１２には、第１読取装置１００ａの読取部１０２が係合するときそのアッパーケース１０２ｂと当該第２壁部１２との間に介在することで第１壁部１１とにより当該読取部１０２を挟持するように、アタッチメント４０が着脱可能に設けられる。また、アタッチメント４０を取り外した第２壁部１２は、第２読取装置１００ｂの保持時にその読取部１０３のアッパーケース１０３ｂを受けることが可能に形成されている。
【００３６】
これにより、上述のように読取対象が異なるためにアッパーケースの形状が異なる２つの光学的情報読取装置であっても、アタッチメント４０を第２壁部１２に装着して当該アッパーケースとの間に介在させるか取り外すことで、第１壁部１１とにより第１読取装置１００ａの読取部１０２または第２読取装置１００ｂの読取部１０３を挟持するように保持することができる。
したがって、２種類の形状の光学的情報読取装置を保持対象とすることができる。さらに、置台１０の標準化が図られるため、製造コストを低減することができる。
【００３７】
また、本第１実施形態に係る置台１０では、底部１５には、開口部２０の貫通方向に沿い貫通する２つの貫通穴１５ｅが形成されるため、底部１５を壁面Ｗに押し付けた状態で上記両貫通穴１５ｅを挿通するようにねじ等の締結部材を組み付けることで、２種類の形状の光学的情報読取装置を保持対象とする置台１０を壁面Ｗに固定した状態で壁掛け用として使用することができる。
【００３８】
さらに、本第１実施形態に係る置台１０では、第１壁部１１には、当該置台１０を載置面から離れた位置で保持するアーム部５２の端部に組み付けるための組み付け部３０が形成されるため、この組み付け部３０に上記アーム部５２の端部を組み付けることで、当該置台１０を、載置面から離れた高位置でアーム部５２を介して両光学的情報読取装置のいずれかを保持するフリースタンド５０の一部として機能させることができる。特に、読取部の把持部側は光学的情報読取装置の重心位置に近くなりやすいため、ロアケース１０２ａを受ける第１壁部１１にて、置台１０をアーム部５２により支持することにより、２種類の形状の光学的情報読取装置を保持対象とする置台１０をフリースタンド５０の一部として使用する場合の安定性を向上させることができる。
【００３９】
さらにまた、本第１実施形態に係る置台１０では、第１壁部１１に形成される把持部１０４に係合するための凹部１１ｃの頂部は、底部１５が載置される面からの高さが、第２壁部１２の高さよりも高く形成される。このため、保持対象が第１読取装置１００ａであれば、読取部１０２のロアケース１０２ａとアッパーケース１０２ｂが第１壁部１１とアタッチメント４０とで挟持されるとき、把持部１０４が第２壁部１２よりも高い頂部の凹部１１ｃに係合するので、保持状態での当該第１読取装置１００ａの重心位置が読取部側になるだけでなく把持部１０４が凹部１１ｃにより挟持されることとなる。これにより、当該第１読取装置１００ａをより安定的に保持することができる。保持対象が第２読取装置１００ｂであっても同様である。
【００４０】
なお、本発明は上記実施形態に限定されるものではなく、以下のように具体化してもよく、その場合でも、上記実施形態と同等の作用・効果が得られる。
（１）第２読取装置１００ｂを保持対象とする場合でも、第２壁部１２に読取部１０３のアッパーケース１０３ｂに応じて形成されるアタッチメントを装着して、第１壁部１１とにより読取部１０３を挟持してもよい。
【００４１】
（２）他の光学的情報読取装置を保持対象とする場合でも、第２壁部１２に保持対象の読取部の反把持部側（アッパーケース）に応じて形成されるアタッチメントを装着して、第１壁部１１とにより当該読取部を挟持してもよい。これにより、置台１０は、読取部のうち反把持部側の形状が異なる複数種類の光学的情報読取装置を保持対象とすることができる。
【符号の説明】
【００４２】
１０…置台
１１…第１壁部
１１ｃ…凹部
１２…第２壁部
１３…第３壁部
１４…第４壁部
１５…底部
１５ｅ…貫通穴
２０…開口部
３０…組み付け部
４０…アタッチメント（着脱部材）
５０…フリースタンド
５２…アーム部
１００ａ…第１読取装置（光学的情報読取装置）
１００ｂ…第２読取装置（光学的情報読取装置）
１０２…読取部
１０２ａ…ロアケース（読取部の把持部側）
１０２ｂ…アッパーケース（読取部の反把持部側）
１０３…読取部
１０３ｂ…アッパーケース（読取部の反把持部側）
１０４…把持部
１０６…読取口
【図１】
2011118721.tif 000003
【図２】
2011118721.tif 000004
【図３】
2011118721.tif 000005
【図４】
2011118721.tif 000006
【図５】
2011118721.tif 000007
【図６】
2011118721.tif 000008
【図７】
2011118721.tif 000009
【図８】
2011118721.tif 000010
【図９】
2011118721.tif 000011
【図１０】
2011118721.tif 000012
【図１１】
2011118721.tif 000013
【図１２】
2011118721.tif 000014